(57)【特許請求の範囲】
【請求項１】
光源と、該光源からの出射光を光記録媒体に収束させる対物レンズを駆動するレンズ駆動装置と、光記録媒体からの戻り光を受光するための受光素子と、前記光源に供給する信号に高周波を重畳するためのスイッチング回路と、前記光源、前記レンズ駆動装置、前記スイッチング回路、および前記受光素子が搭載されたフレームとを有する光ヘッド装置において、
前記フレームには、前記スイッチング回路を覆うシールド材と、接地部材とが取り付けられ、
前記接地部材は、ノイズフィルタを介して前記スイッチング回路のグランド線に電気的に接続され、
前記シールド材は、前記接地部材に電気的に接続されているとともに、前記ノイズフィルタを介して前記グランド線に電気的に接続されていることを特徴とする光ヘッド装置。
【請求項２】
請求項１において、前記接地部材と前記シールド材とは、共通のネジによって前記フレームに取り付けられていることにより電気的に接続していることを特徴とする光ヘッド装置。
【請求項３】
請求項１または２において、前記シールド材は、前記スイッチング回路が実装された基板とハンダ付けされた細幅部分を備えていることを特徴とする光ヘッド装置。
【請求項４】
請求項１ないし３のいずれかにおいて、前記シールド材は、前記スイッチング回路が位置する側とは反対方向に折り曲げられた補強リブを備えていることを特徴とする光ヘッド装置。
【請求項５】
請求項１ないし４のいずれかにおいて、前記シールド材は、前記スイッチング回路が実装された基板を覆うケース形状を有し、
当該シールド材は、前記基板において前記スイッチング回路が形成されている側の基板面を少なくとも覆い、かつ、放熱用の開口が形成されていることを特徴とする光ヘッド装置。
【請求項６】
請求項１ないし５のいずれかにおいて、前記フレームは、樹脂製であることを特徴とする光ヘッド装置。
【発明の詳細な説明】
【０００１】
【発明の属する技術分野】
本発明は、ＣＤ（コンパクトディスク）やＤＶＤ（ディジタルバーサタイルディスク）などの光記録媒体の記録、再生に用いられる光ヘッド装置に関するものである。さらに詳しくは、光ヘッド装置における電磁ノイズ対策のための構造に関するものである。
【０００２】
【従来の技術】
ＣＤやＤＶＤ等の光記録媒体の記録、再生に用いられる光ヘッド装置では、光源からの出射光を導光系を介して対物レンズに導き、この対物レンズによって収束させた光を光記録媒体に収束させる。この際に、対物レンズのトラッキング方向およびフォーカシング方向への駆動は、レンズ駆動装置によって行われる。また、光記録媒体からの戻り光については、やはり導光系を介して受光素子に導くようになっている。ここで、導光系を構成する各種光学部品は、光源や受光素子などとともに、フレーム上の所定位置に搭載されている。また、フレームには、光源に供給する信号に高周波を重畳するためのスイッチング回路が実装された基板も搭載されている。
【０００３】
ここで、スイッチング回路は高周波で動作するため、ノイズを発生させる。そこで、従来は、スイッチング回路が実装された基板上に、ノイズ除去用のキャパシタやインダクタなどといったノイズフィルタを実装し、このノイズフィルタで除去したノイズを接地板を介して放熱板に逃がしている。
【０００４】
【発明が解決しようとする課題】
しかしながら、従来の光ヘッド装置では、基板のグランドパターンに入り込んだノイズはノイズフィルタによって除去されるが、スイッチング回路から直接、外部に放出されるノイズを除去することができないという問題点がある。
【０００５】
以上の問題点に鑑みて、本発明の課題は、スイッチング回路からのノイズの放出を効果的に除去するとともに、電磁シールドをも可能にした光ヘッド装置を提供することにある。
【０００６】
【課題を解決するための手段】
上記課題を解決するため、本発明では、光源と、該光源からの出射光を光記録媒体に収束させる対物レンズを駆動するレンズ駆動装置と、光記録媒体からの戻り光を受光するための受光素子と、前記光源に供給する信号に高周波を重畳するためのスイッチング回路と、前記光源、前記レンズ駆動装置、前記スイッチング回路、および前記受光素子が搭載されたフレームとを有する光ヘッド装置において、前記フレームには、前記スイッチング回路を覆うシールド材と、接地部材とが取り付けられ、前記接地部材は、ノイズフィルタを介して前記スイッチング回路のグランド線に電気的に接続され、前記シールド材は、前記接地部材に電気的に接続されているとともに、前記ノイズフィルタを介して前記グランド線に電気的に接続されていることを特徴とする。
【０００７】
本発明では、スイッチング回路を覆うシールド材が配置されており、シールド材は、接地部材に電気的に接続されているとともに、ノイズフィルタを介してグランド線に電気的に接続されているので、スイッチング回路は、シールド材によって電磁シールドされた状態にある。従って、スイッチング回路から直接、外部に放出されようとするノイズを遮断することができ、光ヘッド装置の周囲に配置された機器に対して電磁波障害を引き起こすことがない。
【０００８】
本発明において、前記接地部材と前記シールド材とは、共通のネジによって前記フレームに取り付けられていることにより電気的に接続していることが好ましい。このように構成すると、接地部材およびシールド材のフレームへの固定と、接地部材とシールド材との電気的な接続を同一のネジで兼用することができる。
【０００９】
本発明において、前記シールド材は、前記スイッチング回路が実装された基板とハンダ付けされた細幅部分を備えていることが好ましい。シールド材と基板とを電気的に接続するにあたって、シールド材の平板部を基板にハンダ付けしようとすると、シールド材側の熱容量が大きすぎてハンダ付けをスムーズに行えないという問題、あるいは基板上のパターンとシールド材との短絡という問題があるが、シールド材に細幅部分を形成しておき、この細幅部分を基板とハンダ付けするのであれば、熱容量が小さいのでハンダ付けをスムーズに行うことができ、かつ、予期せぬ短絡を回避することもできる。
【００１０】
本発明において、前記シールド材は、前記スイッチング回路が位置する側とは反対方向に折り曲げられた補強リブを備えていることが好ましい。光ヘッド装置では、重量増加や余計な振動発生を発生を避けなければならないが、シールド材をリブで補強しておけば、軽量でありながら強度の強いシールド材を構成することができる。また、補強リブを形成するにあたって、シールド材の端部をスイッチング回路が位置する側とは反対方向に折り曲げるのであれば、スイッチング回路が実装された基板とシールド材とが干渉することがない。また、スイッチング回路が位置する側には、光ヘッド装置の他の部材が存在するが、シールド材の端部をスイッチング回路が位置する側とは反対方向に折り曲げるのであれば、光ヘッド装置の他の部材とシールド材との干渉をも防止することができる。
【００１１】
本発明において、前記シールド材は、前記スイッチング回路が実装された基板を覆うケース形状を有し、当該シールド材は、前記基板において前記スイッチング回路が形成されている側の基板面を少なくとも覆い、かつ、放熱用の開口が形成されていることが好ましい。スイッチング回路から直接、外部にノイズが放出されるのを防ぐには、スイッチング回路をできるだけ囲むようにケース形状のシールド材を用いることが好ましく、かつ、このケース形状のシールド材に開口を形成しておけば、ここから熱を放出することができるので、ケース内が高温になるのを防止することができる。
【００１２】
本発明は、前記フレームが樹脂製である場合に特に効果的である。すなわち、アルミニウム製のフレームであれば、このフレーム自身を接地部材として利用でき、かつ、シールド効果も備えているが、樹脂製のフレームの場合には、このような機能を備えていないからである。
【００１３】
【発明の実施の形態】
以下に図面を参照して本発明を適用した光ヘッド装置を説明する。
【００１４】
［全体構成］
図１は、ＣＤ、ＣＤ−Ｒ、およびＤＶＤの記録再生を行う光ヘッド装置の要部の平面図である。図２（Ａ）、（Ｂ）、（Ｃ）、（Ｄ）は、それぞれ図１に示す光ヘッド装置の平面図、左側面図、右側面図および底面図である。図３（Ａ）、（Ｂ）、（Ｃ）、（Ｄ）は、それぞれ図１に示す光ヘッド装置に用いた樹脂製フレームの平面図、左側面図、右側面図および底面図である。
【００１５】
図１、図２および図３に示すように、光ヘッド装置１は、樹脂製のフレーム３を有している。このフレーム３は、機器に対して相互に平行となるように取り付けた２本のガイドシャフト２Ａ、２Ｂが連結部３０１、３０２、３０３に通されていることにより、ガイドシャフト２Ａ、２Ｂに沿って移動可能である。このフレーム３上には、以下に説明する光学系が構成されている。
【００１６】
光ヘッド装置１の光学系は、第１のレーザ光Ｌ１を出射するＤＶＤ用のレーザダイオード４と、第２のレーザ光Ｌ２を出射するＣＤ用のレーザダイオード５とを備え、各レーザダイオード４、５から出射された第１および第２のレーザ光Ｌ１、Ｌ２を共通光路６に導き、この共通光路６を利用してＣＤ、ＣＤ−Ｒ、およびＤＶＤの全ての記録再生を行うことができるようになっている。
【００１７】
共通光路６は、フレーム３上に搭載された受光素子１１、センサレンズ１０、導光系２０、コリメートレンズ７、および立ち上げミラー８と、立ち上げミラー８の上方に配列された対物レンズ９とによって規定されている。
【００１８】
ＤＶＤ用レーザダイオード４はＤＶＤの記録再生用であり、波長６５０ｎｍあるいは６３５ｎｍの第１のレーザ光Ｌ１を出射する。一方、ＣＤ用レーザダイオード５は、ＣＤおよびＣＤ−Ｒの記録、再生用であり、波長７８０〜８００ｎｍの第２のレーザ光Ｌ２を出射する。レーザダイオード４、５は、共通光路６の導光系２０の同一の側において、相互の光軸Ｌ１０、Ｌ２０が平行となるように配列されている。ここに図示の例では、ＤＶＤ用レーザダイオード４の方がＣＤ用レーザダイオード５よりも受光素子１１の側に配置されている。
【００１９】
ＤＶＤ用レーザダイオード４から出射された第１のレーザ光Ｌ１は直接、導光系２０に入射する。一方、ＣＤ用レーザダイオード５から出射された第２のレーザ光Ｌ２は、回折格子１２を介して導光系２０に入射する。回折格子１２は、所定の回折特性が付与されており、ＣＤ用レーザダイオード５から出射された第２のレーザ光Ｌ２を３ビームに分割する。
【００２０】
ＤＶＤ用のレーザダイオード４が実装された回路基板４１０は、フレーム３の側面３１７に対して、接地用のプレート５０を介して接着固定され、かつ、この回路基板４１０には、詳しくは後述するシールドケース６０が被せられている。それにより、ＤＶＤ用のレーザダイオード４は、フレーム３に形成されている穴３０５の入口部分に配置され、この穴３０５を通して第１のレーザ光Ｌ１を導光系２０に出射する。なお、プレート５０については、図２（Ｄ）において右下がりの斜線領域として表してある。
【００２１】
また、ＣＤ用のレーザダイオード５が固着されたヒートシンク４０は、フレーム３の側面３１６に接着固定されている。それにより、ＣＤ用のレーザダイオード５は、フレーム３に形成されている穴３０６の入口部分に配置され、この穴３０６を通して第２のレーザ光Ｌ２を回折格子１２を介して導光系２０に出射する。
【００２２】
さらに、受光素子１１が実装された回路基板１１０は、フレーム３の側面３１１に対して接着固定され、それにより受光素子１１はフレーム３に搭載されている。
【００２３】
ここで、ＤＶＤ用のレーザダイオード４が実装された回路基板４１０、および受光素子１１が実装された回路基板１１０は、共通のフレキシブル基板７７の裏面側に、厚手の基板が貼り合わされたものであり、ヒートシンク４０に固着されたＣＤ用のレーザダイオード５にも接続されている。なお、フレキシブル基板７７については、図２（Ａ）、（Ｃ）において、右上がりの斜線領域として表してある。
【００２４】
導光系２０は、部分反射面を備えたハーフミラー２１と、部分反射面を備えたプリズム２２とから構成されている。ハーフミラー２１は、その部分反射面がレーザダイオード４から出射された第１のレーザ光Ｌ１の光軸Ｌ１０に対して４５度傾斜した状態となるように配置されている。プリズム２２は、その部分反射面がレーザダイオード５から出射された第２のレーザ光Ｌ２の光軸Ｌ２０に対して４５度傾斜した状態となるように配置されている。
【００２５】
このように構成した本例の光ヘッド装置１において、ハーフミラー２１に入射するＤＶＤ用の第１のレーザ光Ｌ１は、ハーフミラー２１の部分反射面によってほぼ半分の光成分が反射され、反射光は、その光軸が９０度折り曲げられてプリズム２２の部分反射面に入射する。そして、この部分反射面に入射したレーザ光Ｌ１の大部分はそのまま透過して立ち上げミラー８に向かう。一方、プリズム２２に入射するＣＤ用の第２のレーザ光Ｌ２は、プリズム２２の部分反射面によってほぼ半分の光成分が反射され、その光軸が９０度折り曲げられて立ち上げミラー８に入射する。このようにハーフミラー２１およびプリズム２２で構成される導光系２０によって第１および第２のレーザ光Ｌ１、Ｌ２が共に共通光路６に導かれる。
【００２６】
導光系２０によって共通光路６に導かれたＤＶＤ用のレーザ光Ｌ１、およびＣＤ用のレーザ光Ｌ２は、立ち上げミラー８によって直角に反射された後、コリメートレンズ７によって平行光束に変換される。平行光束とされたレーザ光Ｌ１、Ｌ２は、対物レンズ９に導かれ、この対物レンズ９を介して、ＤＶＤ用のレーザ光Ｌ１は光記録媒体であるＤＶＤの記録面に光スポットとして集光する。また、ＣＤ用のレーザ光Ｌ２は光記録媒体であるＣＤあるいはＣＤ−Ｒの記録面に光スポットとして集光する。
【００２７】
光記録媒体で反射したレーザ光Ｌ１、Ｌ２の戻り光は、対物レンズ９、コリメートレンズ７、および立ち上げミラー８を戻り、再び導光系２０に戻る。これらの戻り光のうち、ＤＶＤ用のレーザ光Ｌ１の戻り光は、大部分がプリズム２２の部分反射面をそのまま透過してハーフミラー２１に戻る。そして、ハーフミラー２１の部分反射面を通ってその半分が透過してセンサレンズ１０に入射する。一方、ＣＤ用のレーザ光Ｌ２の戻り光は、プリズム２２の部分反射面を通ってその半分が透過してハーフミラー２１に戻る。そして、ハーフミラー２１の部分反射面をそのまま透過してセンサレンズ１０に入射する。その後、各戻り光は、センサレンズ１０を通って共通の受光素子１１に集光する。センサレンズ１０は、双方のレーザ光Ｌ１、Ｌ２の戻り光に対して非点収差を発生させるためのレンズである。
【００２８】
本形態において、センサーレンズ１０は、フレーム３に形成されている穴３０７の出口部分に配置され、この穴３０７を通してハーフミラー２１を透過してきた光を受光素子１１が検出する。
【００２９】
このように構成した光ヘッド装置１において、対物レンズ９をフォーカシング方向およびトラッキング方向に駆動する対物レンズ駆動装置７０は、対物レンズ９を保持したレンズホルダ７１を有している。このレンズホルダ７１は、円筒状の胴部７２と、この胴部７２の内側に形成された円筒状の軸受け部７３を備えている。胴部７２の外周面には一対のトラッキング駆動用コイル８１と、一対のフォーカシング駆動用コイル８２が構成されている。
【００３０】
また、フレーム３に保持されているホルダ支持部材３５の底壁からは支軸９１が直立し、この支軸９１はレンズホルダ７１の軸受け部７３の内側に差し込まれている。ホルダ支持部材３５には外壁３５６および内壁３５７が形成され、外壁３５６にはトラッキング用駆動コイル８１と対峙してトラッキング磁気回路を構成する一対のトラッキング用駆動マグネット８３が取り付けられている。従って、レンズホルダ７１を支軸９１の回りに回転させ、トラッキングエラー補正を行うことができる。
【００３１】
また、外壁３５６にはフォーカシング用駆動コイル８２に対峙してフォーカシング磁気回路を構成する一対のフォーカシング用駆動マグネット８４が取り付けられている。従って、レンズホルダ７１を支軸９１の軸線方向に移動させ、フォーカシングエラー補正を行うことができる。
【００３２】
なお、レンズホルダ７１には、ホルダ支持部材３５の切り起こし部３５９に途中位置が支持されたフレキシブル基板７７が接続されている。また、ホルダ支持部材３５の上面には、カバー３５５が被せられている（図２（Ａ）を参照）。
【００３３】
［シールド構造］
図４は、本形態の光ヘッド装置１において、回路基板４１０に実装された高周波重畳モジュールに対するシールド構造を示す説明図である。図５は、このシールド構造を施した回路基板４１０周辺の構造を示す分解斜視図である。図６（Ａ）、（Ｂ）はそれぞれ、このシールド構造を左斜め上方からみたときの説明図、および右斜め上方からみたときの説明図である。
【００３４】
図４および図５に示すように、本形態の光ヘッド装置１において、回路基板４１０では、穴３０５に向かってＤＶＤ用レーザダイオード４が裏面側に向かって突き出ているとともに、表面側には、ＣＤ用レーザダイオード５によってＣＤ−Ｒに対する記録を行う際に、このＣＤ用レーザダイオード５への信号に高周波を重畳させるためのスイチング素子４１１を備えた高周波重畳モジュール４１２（スイッチング回路）と、回路基板４１０のグランドパターン４１３に入り込んだノイズを電気的に遮断するノイズ除去用のインダクタからなるノイズフィルタ４１４が実装されている。なお、回路基板４１０からはフレキシブル基板７７が上方に延びている。
【００３５】
回路基板４１０には、図５および図６を参照して詳述するシールドケース６０が被せられるようになっており、このシールドケース６０、ノイズフィルタ４１４、およびプレート５０は、図４に示すように電気的に接続されている。すなわち、回路基板４１０のグランドパターン４１３とプレート５０とは、ノイズフィルタ４１４を介して電気的に接続しているとともに、このノイズフィルタ４１４とプレート５０との間にシールドケース６０が電気的に接続している。
【００３６】
このようなシールド構造を構成するにあたって、本形態では、回路基板４１０が配置されるフレーム３の側面部分、プレート５０、回路基板４１０、シールドケース６０は、図５および図６に示すように構成されている。
【００３７】
まず、図５において、樹脂製のフレーム３の側面３１７には、ＤＶＤ用レーザダイオード４を配置するための穴３０５が開口しているとともに、その側方において、フレーム３の下面にはネジ穴３７０が開口している。
【００３８】
プレート５０は、接地部材として用いられているとともに、放熱部材としても機能している。プレート５０においてフレーム３の側面に被さる部分には、ＤＶＤ用レーザダイオード４を穴３０５に差し込むための穴５０１が形成されているとともに、その端部において、フレーム３の下面に重なる連結部分５０２には穴５０３が形成されている。
【００３９】
シールドケース６０は、１枚の金属板をプレス加工および折り曲げ加工してなるものであり、全体として直方体形状を有している。但し、シールドケース６０の裏面および下面は、完全な開放状態にある。シールドケース６０の上面から前面６０７にかけては、長手方向における略中央部分に矩形の開口６０１が形成されている。また、シールドケース６０の上面において、開口６０１の近傍には、スリット６０２によって細幅部分６０３が形成され、この細幅部分６０３の先端部６０４は、シールドケース６０の裏面側において水平方向に折り曲がっている。
【００４０】
シールドケース６０の一方の端部において、高さ方向の略中央部分では側端面から裏面側に爪６０５が水平に折り曲げられている。これに対して、シールドケース６０の反対側の端部では、その下端部から外側に、プレート５０の連結部分５０２に重なる連結部分６０６が折り曲げ形成され、この連結部分６０６にも穴６１７が形成されている。
【００４１】
シールドケース６０の下端部は、表面側に向かって所定の幅をもって折り曲げられて補強用のリブ６０８を構成している。
【００４２】
シールドケース６０の前面６０７において、その内側には絶縁フィルム６０９が貼られている。
【００４３】
このように構成したシールドケース６０を用いて高周波重畳モジュール４１２に対するシールドを行うにあたって、本形態では、まず、プレート５０をフレーム３の側面３１７に重ねた状態で、さらに回路基板４１０をプレート５０に重ね、プレート５０の穴５０１からフレーム３の穴３０５にＤＶＤ用レーザダイオード４を圧入する。その結果、回路基板４１０およびプレート５０は、フレーム３に対して仮固定される。
【００４４】
次に、回路基板４１０に対してシールドケース６０を被せる。この状態で、フレーム３の下面部では、プレート５０の連結部５０２とシールドケース６０の連結部６０６とが重なるので、これらの連結部５０２、６０６からフレーム３のネジ穴３７０に金属製のネジ（図示せず）を止める。その結果、フレーム３に対してプレート５０およびシールドケース６０が取り付けられるとともに、プレート５０とシールドケース６０は電気的に接続する。
【００４５】
この状態において、シールドケース６０の爪６０５は、まだ後方に向けて起立した状態にあるので、この爪６０５を回路基板４１０の裏側で折り曲げ、爪６０５によって回路基板４１０の端部を抱える。この状態で、回路基板４１０において高周波重畳モジュール４１２が実装されている側の面、および端部は、シールドケース６０によって覆われる。但し、シールドケース６０では、下面側が完全な開放状態にあり、かつ、上方には開口６０１が形成されているので、回路基板４１０は密閉状態にはない。
【００４６】
また、この状態で、シールドケース６０の細幅部分６０３の先端部６０４は、回路基板４１０においてノイズフィルタ４１４から延びたグランドパターン４１５に重なっているので、開口６０１からコテを差し込んで、グランドパターン４１５と細幅部分６０３の先端部６０４とをハンダ接続する。その結果、シールドケース６０は、ノイズフィルタ４１４とプレート５０との間に電気的に接続する状態になる。しかる後に、フレシキブル基板７７を所定の状態に折り曲げる。
【００４７】
このように構成した光ヘッド装置１では、高周波重畳モジュール４１２がシールドケース６０で覆われているので、高周波重畳モジュール４１２から直接、外部に放出されようとするノイズを吸収することができる。また、回路基板４１０のグランドパターン４１３は、ノイズフィルタ４１４を介して接地用のプレート５０に電気的に接続しているので、グランドパターン４１３に入り込んだノイズは、ノイズフィルタ４１４によって除去され、外部へのノイズ流出を抑えることができる。さらに、シールドケース６０は、ノイズフィルタ４１４およびプレート５０の双方に電気的に接続しているので、高周波重畳モジュール４１２および回路基板４１０は、シールドケース６０によって電磁シールドされた状態にある。それ故、光ヘッド装置１の周囲に配置された機器に対して電磁波障害を引き起こすこともない。
【００４８】
また、接地用のプレート５０とシールドケース６０とは、共通のネジによってフレーム３に取り付けられるため、組み立て工程を簡略化できるとともに、プレート５０とシールドケース６０との電気的な接続を確実に行うことができる。
【００４９】
さらに、シールドケース６０は、細幅部分６０３の先端部６０４で回路基板４１０にハンダ付けされる。このため、シールドケース６０側の熱容量が小さいので、ハンダ付けをスムーズに行うことができ、かつ、シールドケース６０と回路基板４１０上の他のパターンとの短絡を回避することができる。
【００５０】
さらにまた、シールドケース６０は、高周波重畳モジュール４１２が位置する側とは反対方向に折り曲げられた補強用のリブ６０８を備えているため、軽量化を目的に薄い金属板でシールドケース６０を形成しても、十分な強度を有するので、振動などが発生しない。また、シールドケース６０は、回路基板４１０、それから一段高くなっている高周波重畳モジュール４１２、あるいは光ヘッド装置１を構成する他の部材に当たらない。
【００５１】
また、シールドケース６０は、高周波重畳モジュール４１２に対向し、かつ、その側面も覆う構造を有しているが、下面が完全に開放状態にあり、かつ、上面側には開口６０１が形成されている。従って、開口６０１あるいは下面開口から熱を放出することができるので、シールドケース６０内が高温になるのを防止することができる。
【００５２】
【発明の効果】
以上説明したように、本発明の光ヘッド装置において、スイッチング回路のグランド線は、ノイズフィルタを介して接地部材に電気的に接続しているので、スイッチング回路が実装された基板の回路パターンに入り込んだノイズは、ノイズフィルタによって除去され、外部への流出を抑えることができる。さらに、シールド材は、ノイズフィルタと接地部材との間に電気的に接続されているので、スイッチング回路は、シールド材によって電磁シールドされた状態にあるので、光ヘッド装置の周囲に配置された機器に対して電磁波障害を引き起こすこともない。
【図面の簡単な説明】
【図１】本発明が適用される光ヘッド装置の要部の平面図である。
【図２】（Ａ）、（Ｂ）、（Ｃ）、（Ｄ）は、それぞれ本発明を適用した光ヘッド装置の平面図、左側面図、右側面図、および底面図である。
【図３】（Ａ）、（Ｂ）、（Ｃ）、（Ｄ）は、それぞれ図２に示す光ヘッド装置に用いた樹脂製フレームの平面図、左側面図、右側面図、および底面図である。
【図４】図１に示す光学ヘッド装置において、回路基板に実装された高周波重畳モジュールに対するシールド構造を示す説明図である。
【図５】図４に示すシールド構造を施した回路基板周辺の構造を示す分解斜視図である。
【図６】（Ａ）、（Ｂ）はそれぞれ、このシールド構造を左斜め上方からみたときの説明図、および右斜め上方からみたときの説明図である。
【符号の説明】
１  光ヘッド装置
２Ａ、２Ｂ  ガイドシャフト
３  樹脂製フレーム
４  ＤＶＤ用のレーザダイオード（光源）
５  ＣＤ用のレーザダイオード（光源）
６  共通光路
７  コリメートレンズ
８  立ち上げミラー
９  対物レンズ
１０  センサレンズ
１１  受光素子
１２  回折格子（光学素子）
２０  導光系
２１  ハーフミラー
２２  プリズム
３５  ホルダ支持部材
５０  プレート（接地部材）
６０  シールドケース（シールド材）
７０  対物レンズ駆動装置
７１  レンズホルダ
３７０  フレームのネジ穴
４１０  回路基板
４１１  スイチング素子
４１２  高周波重畳モジュール
４１３  グランドパターン
４１４  ノイズフィルタ
５０２  プレートの連結部分
５０３  プレートの穴
６０１  シールドケースの開口
６０３  シールドケースの細幅部分
６０５  シールドケースの爪
６０６  シールドケースの連結部分
６０８  シールドケースの補強用のリブ
６０９  シールドケースに貼られた絶縁フィルム
６１７  シールドケースの穴
Ｌ１  第１のレーザ光
Ｌ２  第２のレーザ光
Ｌ１０  第１のレーザ光の光軸
Ｌ２０  第２のレーザ光の光軸
【図１】
0003785040.tif 000002
【図２】
0003785040.tif 000003
【図３】
0003785040.tif 000004
【図４】
0003785040.tif 000005
【図５】
0003785040.tif 000006
【図６】
0003785040.tif 000007